(57)【特許請求の範囲】
【請求項１】
室内機と室外機とからなり、上記室内機に熱交換器と送風機が配置され、かつ電気集塵機が搭載される空気調和機において、
上記室内機の前面グリルに設けられる吸込み口と、
上記室内機の側端部に設けられる電気部品箱と、
この電気部品箱に収容され、上記送風機を駆動制御するとともに上記室外機に信号出力する主制御装置を備えた第１の制御基板と、
この第１の制御基板とは分離して上記吸込み口の中央部に配置され、室内空気が上記熱交換器に導かれる直前の位置で室内空気の汚れ度合いを検知し、その検知信号を上記第１の制御基板に備えられる上記主制御装置へ送信するガスセンサおよび、空調運転状態を表示する表示素子を備えた第２の制御基板と、
を具備したことを特徴とする空気調和機。
【請求項２】
さらに上記第２の制御基板は、
空気調和運転を遠隔操作するリモートコントローラからの送信信号を受信する受信部を備えるとともに、
空気調和運転状態を表示する表示素子の表示状態および、上記リモートコントローラからの送信信号を受信する受信部の受信状態を監視し、この監視結果を上記主制御装置に送信する手段を備えたことを特徴とする請求項１記載の空気調和機。
【発明の詳細な説明】
【０００１】
【発明の属する技術分野】
本発明は、室内機と室外機とからなり、上記室内機に熱交換器と送風機が配置され、かつ電気集塵機が搭載される空気調和機に係わり、特に、室内機における制御装置の改良に関する。
【０００２】
【従来の技術】
室外機と室内機とから構成される空気調和機が多用されている。上記室内機には、熱交換器と送風機とが対向した状態で配置され、送風機の作動によって室内空気が熱交換器に導びかれ、ここで熱交換して再び室内に吹出されるようになっている。
【０００３】
そして、室内機には、空気調和運転を制御するマイクロコンピュータユニットを搭載する主制御基板と、空気運転状態を表示するＬＥＤなどの表示素子を備えた補助制御基板とから構成される制御装置が配置される。
【０００４】
上記主制御基板と補助制御基板との間には、上記表示用ＬＥＤや、付属のリモートコントローラのスイッチからの送信信号を受信する受信部などに接続するため、多数の配線が架設されている。
【０００５】
多数の配線間にセンサ類を配置すると、配線相互間がより複雑になる一方で、センサ自体の検知精度に悪影響が生じ易いので、センサ類は主制御基板に直接搭載される。
【０００６】
【発明が解決しようとする課題】
ところで、このような空気調和機において、近時、電気集塵機を搭載したものが提供されていて、室内の空気調和ばかりでなく、室内空気の脱臭とともに浮遊塵埃などの汚れを除去するようになっている。
【０００７】
そして、上記電気集塵機を搭載した空気調和機には、室内の粉塵量とガス濃度を検知するためのガスセンサが他のセンサとともに主制御基板に備えられ、上記マイクロコンピュータユニットと電気的に接続されている。
【０００８】
しかしながら、通常、上記主制御基板は空気調和機本体の側端部に配置されていて、この側端部は熱交換される空気が最も通過し難い場所となっている。そのため、主制御基板に備えられるガスセンサには、熱交換器に導かれる室内空気のうちの僅かな量しか導かれず、検知精度が低いものである。
【０００９】
本発明は上記事情に着目してなされたものであり、その目的とするところは、室内機に電気集塵機を搭載することを前提として、室内空気の汚れ度合いを検知するガスセンサを最適位置に配置して、検知精度の向上化を図った空気調和機を提供することにある。
【００１０】
【課題を解決するための手段】
上記目的を満足するため本発明は、室内機と室外機とからなり、上記室内機に熱交換器と送風機が配置され、かつ電気集塵機が搭載される空気調和機において、
上記室内機の前面グリルに設けられる吸込み口と、上記室内機の側端部に設けられる電気部品箱と、この電気部品箱に収容され上記送風機を駆動制御するとともに上記室外機に信号出力する主制御装置を備えた第１の制御基板と、この第１の制御基板とは分離して上記吸込み口の中央部に配置され、室内空気が熱交換器に導かれる直前の位置で室内空気の汚れ度合いを検知し、その検知信号を第１の制御基板に備えられる主制御装置へ送信するガスセンサおよび、空調運転状態を表示する表示素子を備えた第２の制御基板とを具備する。
【００１３】
さらに上記第２の制御基板は、空気調和運転を遠隔操作するリモートコントローラからの送信信号を受信する受信部を備えるとともに、空気調和運転状態を表示する表示素子の表示状態およびリモートコントローラからの送信信号を受信する受信部の受信状態を監視し、この監視結果を主制御装置に送信する手段を備えた。
【００１６】
このような課題を解決する手段を採用することにより、室内空気の汚れ度合いを検知するガスセンサの位置を最適位置に設定でき、正確な室内空気の汚れ状態を正確に検知する。
【００１７】
【発明の実施の形態】
以下、図面を参照して本発明の一実施の形態について説明する。
図３に、図示しない室外機と、後述する室内機８とから構成される空気調和機に備えられるヒートポンプ式の冷凍サイクル回路を示す。
【００１８】
図中、１は圧縮機、２は四方切換え弁、３は室内側熱交換器、４は自動電子膨張弁、５は室外側熱交換器であって、これらは上記番号順に冷媒管Ｐを介して接続される。
【００１９】
上記圧縮機１にはインバータ装置６が接続され、室外側熱交換器５に対向して室外送風機７が配置されている。そして、この圧縮機１と、四方切換え弁２と、自動電子膨張弁４と、室外側熱交換器５および室外送風機７は、室外機内に配置される。
【００２０】
上記室内側熱交換器５は、図１および図２に示す室内機８に組み込まれている。さらに室内機８には、図３に示すように、上記室内側熱交換器３と対向して横流ファンＦとファンモータＦＭとからなる室内送風機９が配置されている。
【００２１】
上記室内機８と上記室外機は冷媒管Ｐおよび配線類を介して接続されていて、冷房運転や、暖房運転、あるいは除湿運転などの空気調和運転の機能を発揮するようになっている。
【００２２】
さらに室内機８には、空気清浄機１０が内蔵されている。この空気清浄機１０は、電気集塵機１１と、この電気集塵機１１の側方に並置される脱臭フィルタ１２とから構成されている。ここで電気集塵機１１と脱臭フィルタ１２とは室内側熱交換器３の前面上部にそれぞれ独立して、かつ並べて配置されている。
【００２３】
したがって、室内機８においては空気清浄機１０を駆動することにより室内空気を脱臭するとともに、電気集塵機１１の電極によって空気中の微細な浮遊塵埃を帯電させ、かつ集塵するようになっていて、これにより空気清浄の機能も発揮できる。
【００２４】
室内機８の前面側で、この側端部には第１の制御基板２１が配置され、室内機８の前面側で、この中央部には第２の制御基板２２が配置されている。すなわち、第１の制御基板２１は、室内機８の側端部に設けられるここでは図示しない電気部品箱内に収容される。
【００２５】
第２の制御基板２２は、室内機８を構成する前面グリル８ａに設けられる吸込み口２３の中央部に配置されることになり、上記第１の制御基板２１とは互いに分離状態にある。
【００２６】
上記第１の制御基板２１は、マイクロコンピュータユニットからなる主制御装置１４を備えていて、この主制御装置１４は上記インバータ装置６、室外送風機７のファンモータＦＭ制御用の室外ファン制御回路１５、室外機に備えられる外気温センサ１６、室内送風機９のファンモータＦＭ制御用の室内ファン制御回路１７、室内機８に備えられる室温センサ１８、および電気集塵機１０を作動する高電圧発生回路１３にそれぞれ接続される。
【００２７】
さらに、この空気調和機にはワイヤレス式のリモートコントローラ（遠隔操作部）１９が付属されている。室内機８には、上記リモートコントローラ１９からの送信信号を受信する受信部である赤外線受光部２０が設けられている。そして、主制御装置１４には上記リモートコントローラ１９からの指示信号が赤外線受光部２０を介して送信されるようになっている。
【００２８】
先に説明したように、上記第２の制御基板２２は室内機８内の熱交換器３に室内空気を導入案内する吸込み口８ａに配置されていて、吸込み口８ａから吸込まれた室内空気の一部は、熱交換器３に導かれる直前の位置で第２の制御基板２２に確実に衝突するようになっている。
【００２９】
そして、この第２の制御基板２２には空気中に含まれる塵埃の濃度など、空気の汚れ具合を検知するガスセンサ２４が設けられている。このガスセンサ２４は上記第１の制御基板２１の主制御装置１４に接続され、検知信号を主制御装置１４へ送信するようになっている。
【００３０】
すなわち、第２の制御基板２２が室内機８の前面側に配置され、ここにガスセンサ２４が設けられるところから、室内空気の流れの中にガスセンサ２４が配置されることになる。
【００３１】
なお、室内機８の前面下部には熱交換器３で熱交換したあとの室内空気を再び室内へ吹出し案内する吹出し口２５が設けられている。
しかして、空気調和運転にともなって室内送風機９が作動し、室内空気が室内機８に吸い込まれ、その一部は第２の制御基板２２に衝突してから室内側熱交換器３に導かれ、残りの室内空気は直接熱交換器３に導かれて熱交換する。室内側熱交換器３で熱交換したあとの室内空気は、吹出し口２５から再び室内へ吹出される。
【００３２】
第２の制御基板２２に備えられる上記ガスセンサ２４は室内空気の流れの中にあり、ここには充分な量の室内空気が確実に導かれる。したがって、ガスセンサ２４は極めて有効なセンシング位置に配置されることになり、室内空気の汚れ度合を高精度で検知し、その検知信号を第１の制御基板２１に備えられる主制御装置１４へ送信する。
【００３３】
主制御装置１４は送信された信号を汚れの度合いの値に換算し、その値があらかじめ主制御装置１４に記憶された室内空気の汚れ度合いの設定値を越えたと判断した場合は、ただちに空気清浄器１０へ駆動信号を送信して電気集塵機１１を作動させる。
【００３４】
電気集塵機１１は室内空気に含まれる浮遊塵埃を帯電除去して清浄化をなす。ガスセンサ２４は継続して室内空気の汚れ度合いを高精度で検知し、その検知信号を主制御装置１４へ送信する。
【００３５】
空気清浄化運転が継続して、室内空気の汚れの度合いがあらかじめ主制御装置１４に記憶された所定値より低下したと判断した場合は、電気集塵機１１の運転を停止するよう制御する。
【００３６】
このようにして、室内機８に電気集塵機１１を搭載することを前提として、室内空気の汚れ度合いを検知するガスセンサ２４を備えた第２の制御基板２１を、主制御装置１４を備えた第１の制御基板２１と分離し、かつ室内機８の前面側に配置したから、ガスセンサ２４に充分な量の室内空気が導かれるようになり、この検知精度の向上化を得る。
【００３７】
なお、上記第１の実施の形態においては、第２の制御基板２２にガスセンサ２４を備えることとしたが、これに加えて、以下に述べるような実施の形態であってもよい。なお、第１の制御基板２１が主制御装置１４を備えることは全く変わりがない。
【００３８】
第２の実施の形態として、図４に示すように、第２の制御基板２２にガスセンサ２４とともに複数の表示素子２０ａ…を備えてもよい。これら表示素子２０ａ…は、冷房・暖房・除湿・送風の各空気調和運転状態を表示するとともに、空気清浄化運転も表示するようになっており、それぞれＬＥＤからなる。
【００３９】
室内機８の前面パネル８ａにおいては、少なくとも上記表示素子２０ａ…と対向する部位が開口して、表示素子が室内に対して露出し、あるいは少なくとも表示素子と対向する部位に透明板が嵌め込まれていて、いずれにしても室内から表示素子２０ａ…を目視できるようになっている。
【００４０】
したがって、室内機８内に別途、各表示素子２０ａ…を取付けるためのスペースが不要となり、室内機８内におけるスペースの有効利用を図れる。
第３の実施の形態として、図５に示すように、第２の制御基板２２にガスセンサ２４とともに強制運転用スイッチ３０を配置するようにしてもよい。この強制運転用スイッチ３０は、あらかじめ固定された運転モードで運転させる強制運転に切換えるためのものである。
【００４１】
したがって、室内機８内に別途、上記強制運転用スイッチ３０を取付けるためのスペースが不要となり、室内機８内のスペースの有効利用を図れる。
第４の実施の形態として、図６に示すように、第２の制御基板２２にガスセンサ２４とともに、空気調和運転を遠隔操作するための上記リモートコントローラ１９からの送信信号（赤外線）を受信する受信部２０Ａを備えてもよい。
【００４２】
先に図１で説明したように、リモートコントローラ１９から送信される赤外線を前面パネル８ａに設けた赤外線受光部２０で受光するようにしたが、これに限定されるものではなく上記受信部２０Ａを赤外線受光用として第２の制御基板２２に設けることにより、室内機８におけるスペースの有効利用を図れる。
【００４３】
第５の実施の形態として、図７に示すように、第２の制御基板２２にガスセンサ２４とともに、ガスセンサ２４の出力値を検知して主制御装置１４に検知信号を送信するマイクロコンピュータ（ＣＰＵ）３５を備えてもよい。
【００４４】
そして、上記第２の制御基板２２に備えられるマイクロコンピュータ３５は、空気調和運転状態を表示する表示素子２０ａ…の表示状態および、空気調和運転を遠隔操作するリモートコントローラ１９からの送信信号を受信する受信部２０Ａの受信状態を監視する手段４０を備えていて、この監視結果を監視手段４０から主制御装置１４に送信するようになっている。
【００４５】
このようにして、第２の制御基板２２にガスセンサ２４ばかりでなく、主制御装置１４への検知信号送信用のマイクロコンピュータ３５、表示素子２０ａ…、受信部２０Ａなどを備えたから、室内機８に別途、これらを取付けるためのスペースが不要となって、室内機８のスペースの有効利用を図れる。
【００４６】
【発明の効果】
以上説明したように本発明によれば、室内空気の汚れ度合いを検知するガスセンサを最適位置に配置することとなり、この検知精度を向上させることができる効果を奏する。
【図面の簡単な説明】
【図１】本発明の第１の実施の形態に係わる、空気調和機を構成する室内機の外観斜視図。
【図２】同実施の形態に係わる、室内機の断面図。
【図３】同実施の形態に係わる、空気調和機の冷凍サイクル回路と電気配線の概略を示す図。
【図４】第２の実施の形態に係わる、第２の制御基板の構成を示す図。
【図５】第３の実施の形態に係わる、第２の制御基板の構成を示す図。
【図６】第４の実施の形態に係わる、第２の制御基板の構成を示す図。
【図７】第５の実施の形態に係わる、第２の制御基板の構成を示す図。
【符号の説明】
８…室内機、
３…室内側熱交換器、
９…室内送風機、
１４…主制御装置、
２１…第１の制御基板、
２４…ガスセンサ、
２２…第２の制御基板、
２０ａ…表示素子、
３０…強制運転用スイッチ、
１９…リモートコントローラ、
２０Ａ…受信部、
３５…マイクロコンピュータ、
４０…監視手段。
【図１】
0004209971.tif 000002
【図２】
0004209971.tif 000003
【図３】
0004209971.tif 000004
【図４】
0004209971.tif 000005
【図５】
0004209971.tif 000006
【図６】
0004209971.tif 000007
【図７】
0004209971.tif 000008